(57)【要約】      （修正有）【課題】使用限度に達したカムスイッチのみを交換できる鉄道車両用主幹制御器を提供する。【解決手段】ハンドル１と、ハンドルの操作に連動して回動するカム軸２と、カム軸に軸方向の間隔を存して並設した複数のカム突起３１〜３６と、これらカム突起に押されてオンする複数のカムスイッチ４１〜４６と、を備える。カムスイッチ４１〜４６のオン回数を各カムスイッチ４１〜４６毎に個別に計数する計数手段６１〜６６を更に備える。【選択図】図１
2017028835.tif 000002
【特許請求の範囲】
【請求項１】
ハンドルと、ハンドルの操作に連動して回動するカム軸と、カム軸に軸方向の間隔を存して並設した複数のカム突起と、これらカム突起に押されてオンする複数のカムスイッチとを備える鉄道車両用主幹制御器であって、
カムスイッチのオン回数を各カムスイッチ毎に個別に計数する計数手段を更に備えることを特徴とする鉄道車両用主幹制御器。
【請求項２】
前記計数手段で計数したオン回数がカムスイッチの使用限度に対応する所定回数に達したとき、それを表示する表示手段を設けることを特徴とする請求項１記載の鉄道車両用主幹制御器。
【発明の詳細な説明】
【技術分野】
【０００１】
本発明は、鉄道車両用の主幹制御器に関する。
【背景技術】
【０００２】
従来、この種の主幹制御器は、ハンドルと、ハンドルの操作に連動して回動するカム軸と、カム軸に軸方向の間隔を存して並設した複数のカム突起と、これらカム突起に押されてオンする複数のカムスイッチとを備えている（特許文献１参照）。
【０００３】
ここで、カムスイッチは、カム突起に押されて動く可動接点が固定接点に接触することでオンし、可動接点が固定接点から離れることでオフする。そして、オンオフを繰り返すことにより接点が摩耗するが、接点の摩耗状態を目視では把握できない。
【０００４】
そこで、従来は、主幹制御器に設けられる全てのカムスイッチの使用期間を一律に定め、使用期間が経過したときに全てのカムスイッチを交換するようにしている。然し、使用期間が経過しても、カムスイッチを交換する必要がある程接点が摩耗してない場合があり、使用限度に達していないカムスイッチも交換されてしまう。
【先行技術文献】
【特許文献】
【０００５】
【特許文献１】特開２０１４−１８０５３号公報
【発明の概要】
【発明が解決しようとする課題】
【０００６】
本発明は、以上の点に鑑み、使用限度に達したカムスイッチのみを交換できるようにした鉄道車両用主幹制御器を提供することをその課題としている。
【課題を解決するための手段】
【０００７】
上記課題を解決するために、本発明は、ハンドルと、ハンドルの操作に連動して回動するカム軸と、カム軸に軸方向の間隔を存して並設した複数のカム突起と、これらカム突起に押されてオンする複数のカムスイッチとを備える鉄道車両用主幹制御器であって、カムスイッチのオン回数を各カムスイッチ毎に個別に計数する計数手段を更に備えることを特徴とする。
【０００８】
ここで、カムスイッチのオン回数は、接点の摩耗状態を表すパラメータとなる。そして、本発明によれば、カムスイッチ毎に個別にオン回数を計数することにより、個々のカムスイッチの接点の摩耗状態を把握することができる。従って、使用限度に達したカムスイッチのみを交換できる。
【０００９】
また、本発明において、計数手段で計数したオン回数がカムスイッチの使用限度に対応する所定回数に達したとき、それを表示する表示手段を設けることが望ましい。これによれば、カムスイッチの交換が必要なタイミングを容易に認識できる。
【図面の簡単な説明】
【００１０】
【図１】本発明の実施形態の鉄道車両用主幹制御器の構成図。
【図２】実施形態の鉄道車両用主幹制御器の回路図。
【発明を実施するための形態】
【００１１】
図１を参照して、本発明の実施形態の鉄道車両用主幹制御器は、ハンドル１と、ハンドル１の操作に連動して回動するカム軸２と、カム軸２に軸方向の間隔を存して並設した複数（例えば、６個）のカム突起３１，３２，３３，３４，３５，３６と、これらカム突起３１〜３６に押されてオンする複数（例えば、６個）のカムスイッチ４１，４２，４３，４４，４５，４６と、カム軸２と鉄道車両に設けられる図外の制御装置とを接続するコネクタ５とを備えている。
【００１２】
図２も参照して、ハンドル１は、複数（例えば、６個）の操作位置に操作できるように構成されている。そして、ハンドル１の操作位置に応じて所定のカム突起３１〜３６が所定のカムスイッチ４１〜４６を押してオンするようにしている。図２中台形で囲んだ部分は、ハンドル１の操作位置とオンするカムスイッチ４１〜４６との関係を便宜的に示している。即ち、ハンドル１の操作位置が「切」のとき、カムスイッチ４１がオンし、ハンドル１の操作位置が「１」のとき、カムスイッチ４２がオンし、ハンドル１の操作位置が「２」のとき、カムスイッチ４２，４３がオンし、ハンドル１の操作位置が「３」のとき、カムスイッチ４２，４３，４４がオンし、ハンドル１の操作位置が「４」のとき、カムスイッチ４２，４３，４４，４５がオンし、ハンドル１の操作位置が「５」のとき、カムスイッチ４２，４３，４４，４５，４６がオンする。
【００１３】
ここで、カムスイッチ４１〜４６は、カム突起３１〜３６に押されて動く可動接点が固定接点に接触することでオンし、可動接点が固定接点から離れることでオフする。そして、オンオフを繰り返すことにより接点が摩耗するが、接点の摩耗状態を目視では把握できない。
【００１４】
そこで、本実施形態では、カムスイッチ４１〜４６のオン回数を各カムスイッチ４１〜４６毎に個別に計数する計数手段たる電磁カウンター６１，６２，６３，６４，６５，６６を備えている。更に、各電磁カウンター６１〜６６に対応する各カウントスイッチ７１〜７６とこれら各カウントスイッチ７１〜７６に直列接続したランプ等の各表示手段８１〜８６とを設けている。そして、何れかの電磁カウンター６１〜６６で計数したオン回数がカムスイッチ４１〜４６の使用限度に対応する所定回数（例えば、１００万回）に達したとき、この電磁カウンター６１〜６６に対応するカウントスイッチ７１〜７６がオンし、このカウントスイッチ７１〜７６に接続された表示手段８１〜８６が作動して、オン回数が所定回数に達したことが表示されるようにしている。尚、電磁カウンター６１〜６６は、加算カウンターであっても減算カウンターであってもよい。
【００１５】
ここで、カムスイッチ４１〜４６のオン回数は、接点の摩耗状態を表すパラメータとなる。そして、本実施形態によれば、カムスイッチ４１〜４６毎に個別にオン回数を計数することにより、個々のカムスイッチ４１〜４６の接点の摩耗状態を把握することができる。従って、使用限度に達したカムスイッチのみを交換できる。更に、オン回数がカムスイッチ４１〜４６の使用限度に対応する所定回数に達したことを表示する表示手段８１〜８６を設けているため、カムスイッチ４１〜４６の交換が必要なタイミングを容易に認識できる。
【００１６】
以上、本発明の実施形態について図面を参照して説明したが、本発明はこれに限定されない。例えば、計数手段６１〜６６で計数したオン回数を表示する他の表示手段を設けてもよい。但し、当該表示手段を設けただけでは表示される回数が使用限度に対応する所定回数に達することを判断する必要があり、上記実施形態の如くオン回数がカムスイッチ４１〜４６の使用限度に達したことを表示する表示手段８１〜８６を設けていればよい。
【符号の説明】
【００１７】
１…ハンドル、２…カム軸、３１〜３６…カム突起、４１〜４６…カムスイッチ、６１〜６６…計数手段、８１〜８６…表示手段。
【図１】
2017028835.tif 000003
【図２】
2017028835.tif 000004